(57)【要約】【課題】第１及び第２のコントローラによって制御される機器を区別することなく制御可能であると共に、関連して使用される機器を操作するための表示を相互に関連した位置に表示することにより、ユーザの操作性を向上させる。【解決手段】  医療システムは、第１のコントローラに設けられて第１の周辺機器群の各周辺機器のＩＤ情報を取得する第１の通信部と、第２のコントローラに設けられて第２の周辺機器群の各周辺機器のＩＤ情報を取得する第２の通信部と、前記第１及び第２の通信部によって取得されたＩＤ情報に基づいて前記第１及び第２の周辺機器群の各周辺機器をグループ化する制御部と、前記ＩＤ情報が取得された前記各周辺機器にそれぞれ対応した複数の表示であって操作画面を表示して操作対象とする周辺機器を選択するための複数の表示を、前記各周辺機器のグループ毎に関連する位置に配置した操作遷移画面を作成する画像生成部とを具備する。【選択図】図１
2016036502.tif 000002
【特許請求の範囲】
【請求項１】
第１の周辺機器群の各周辺機器を制御する第１のコントローラと、第２の周辺機器群の各周辺機器を制御する第２のコントローラと、前記第１及び第２の周辺機器群の各周辺機器をそれぞれ操作するための各操作画面を表示可能な表示部とを具備した医療システムであって、
前記第１のコントローラに設けられて前記第１の周辺機器群の前記各周辺機器のＩＤ情報を取得する第１の通信部と、
前記第２のコントローラに設けられて前記第２の周辺機器群の前記各周辺機器のＩＤ情報を取得する第２の通信部と、
前記第１及び第２の通信部によって取得されたＩＤ情報に基づいて前記第１及び第２の周辺機器群の各周辺機器をグループ化する制御部と、
前記ＩＤ情報が取得された前記各周辺機器にそれぞれ対応した複数の表示であって前記操作画面を表示して操作対象とする周辺機器を選択するための複数の表示を、前記各周辺機器のグループ毎に関連する位置に配置した操作遷移画面を作成する画像生成部と
を具備したことを特徴とする医療システム。
【請求項２】
前記ＩＤ情報は、前記第１及び第２の周辺機器群の各周辺機器を機能毎にグループ化するための情報である
ことを特徴とする請求項１に記載の医療システム。
【請求項３】
前記画像生成部は、前記各周辺機器にそれぞれ対応した複数の表示を、前記グループ毎に隣接した位置に配置する
ことを特徴とする請求項１又は２に記載の医療システム。
【請求項４】
前記画像生成部は、前記各周辺機器にそれぞれ対応した複数の表示を、前記グループ毎の行又は列に配置する
ことを特徴とする請求項１又は２に記載の医療システム。
【請求項５】
前記画像生成部は、前記各周辺機器にそれぞれ対応した複数の表示を、前記グループ毎に色分けする
ことを特徴とする請求項１又は２に記載の医療システム。
【請求項６】
前記各周辺機器にそれぞれ対応した複数の表示は、記憶部から読出されたアイコンの表示データによって生成される
ことを特徴とする請求項１乃至５のいずれか１つに記載の医療システム。
【請求項７】
前記第１のコントローラと前記第２のコントローラとを選択的に前記表示部に接続する切換部
を具備したことを特徴とする請求項１乃至６のいずれか１つに記載の医療システム。
【請求項８】
前記制御部は、前記第１及び第２のコントローラの一方の電源がオフになった場合には、他方に制御される前記各周辺機器を再グループ化し、
前記画像生成部は、前記他方に制御される前記各周辺機器にそれぞれ対応した複数の表示を前記再グループ化によるグループ毎に関連する位置に配置した前記操作遷移画面を作成する
ことを特徴とする請求項１乃至７のいずれか１つに記載の医療システム。
【請求項９】
前記画像生成部は、前記第１及び第２のコントローラの一方の電源がオフになった場合には、前記一方に制御される前記各周辺機器にそれぞれ対応する複数の表示と、前記他方に制御される前記各周辺機器にそれぞれ対応する複数の表示とを、相互に異なる表示形態とする前記操作遷移画面を作成する
ことを特徴とする請求項１乃至７のいずれか１つに記載の医療システム。
【請求項１０】
前記制御部は、前記第１及び第２の通信部によって取得されるＩＤ情報に変化があった場合には、前記第１及び第２の周辺機器群の各周辺機器の再グループ化を行い
前記画像生成部は、前記各周辺機器にそれぞれ対応した複数の表示を前記再グループ化によるグループ毎に関連する位置に配置した前記操作遷移画面を作成する
ことを特徴とする請求項１乃至９のいずれか１つに記載の医療システム。
【発明の詳細な説明】
【技術分野】
【０００１】
本発明は、医療機器及び非医療機器を制御可能な医療システムに関する。
【背景技術】
【０００２】
従来、手術において使用される内視鏡等の医療機器を制御するメディカルコントローラを採用した手術システムが提案されている。メディカルコントローラ（ＭＣ）は、被制御装置である医療機器である例えば電気メス装置、気腹装置、内視鏡用カメラ装置、光源装置等を制御することができるようになっている。また、ＭＣには、表示装置、操作パネル等も接続されている。操作パネルは、表示部とタッチセンサにより構成され、非滅菌域にいる看護師等が操作する集中操作装置である。表示装置には、内視鏡画像等が表示される。
【０００３】
一方、手術室には、非医療機器であるルームライト、ルームカメラ、インターフォン、液晶表示装置等の視聴覚関連設備も配設されている。これらの視聴覚関連設備は、ノンメディカルコントローラ（ＮＭＣ）によって、別途個別に、あるいは集中的に制御される。
【０００４】
特許文献１には、上述したメディカルコントローラとノンメディカルコントローラからなるシステムにおいて、２つのコントローラを意識することなく、あたかも１つのコントローラとして操作することができるようにしたシステムが開示されている。
【０００５】
特許文献１のシステムは、メディカルコントローラで管理される機器を操作するためのアイコンとノンメディカルコントローラで管理される機器を操作するためのアイコンとの両方を表示可能にすることで、ユーザは例えば１台のタッチパネル表示装置によって、制御対象が医療機器であるか非医療機器であるかを意識することなく、これらの機器に対する操作を行うことができる。
【先行技術文献】
【特許文献】
【０００６】
特開２００９−１７８５４１号公報
【発明の概要】
【発明が解決しようとする課題】
【０００７】
しかしながら、特許文献１のシステムでは、例えば、メディカルコントローラで管理される無影灯と、ノンメディカルコントローラで管理される一般照明とは、関連して使用されるにも拘わらず、メディカルコントローラ側のアイコンと、ノンメディカルコントローラ側のアイコンとが、比較的離れた位置に表示されており、操作性が悪いという問題がある。
【０００８】
本発明は、第１のコントローラによって制御される機器及び第２のコントローラによって制御される機器を区別することなく制御可能であると共に、関連して使用される機器を操作するための表示を相互に関連した位置に表示することにより、ユーザの操作性を向上させることができる医療システムを提供することを目的とする。
【課題を解決するための手段】
【０００９】
本発明に係る医療システムは、第１の周辺機器群の各周辺機器を制御する第１のコントローラと、第２の周辺機器群の各周辺機器を制御する第２のコントローラと、前記第１及び第２の周辺機器群の各周辺機器をそれぞれ操作するための各操作画面を表示可能な表示部とを具備した医療システムであって、前記第１のコントローラに設けられて前記第１の周辺機器群の前記各周辺機器のＩＤ情報を取得する第１の通信部と、前記第２のコントローラに設けられて前記第２の周辺機器群の前記各周辺機器のＩＤ情報を取得する第２の通信部と、前記第１及び第２の通信部によって取得されたＩＤ情報に基づいて前記第１及び第２の周辺機器群の各周辺機器をグループ化する制御部と、前記ＩＤ情報が取得された前記各周辺機器にそれぞれ対応した複数の表示であって前記操作画面を表示して操作対象とする周辺機器を選択するための複数の表示を、前記各周辺機器のグループ毎に関連する位置に配置した操作遷移画面を作成する画像生成部とを具備する。
【発明の効果】
【００１０】
本発明によれば、第１のコントローラによって制御される機器及び第２のコントローラによって制御される機器を区別することなく制御可能であると共に、関連して使用される機器を操作するための表示を相互に関連した位置に表示することにより、ユーザの操作性を向上させることができるという効果を有する。
【図面の簡単な説明】
【００１１】
【図１】本発明の第１の実施の形態に係る医療システムを示すブロック図。
【図２】ＩＤ情報の一例を説明するための図表。
【図３】第１の実施の形態の動作を説明するためのフローチャート。
【図４】第１の実施の形態による操作遷移画面の一例を示す説明図。
【図５】第１の実施の形態の動作を説明するための説明図。
【図６】変形例を示す説明図。
【図７】第２の実施の形態に採用される動作フローを示すフローチャート。
【図８】第２の実施の形態における操作遷移画面を説明するための説明図。
【図９】本変形例において採用されるフローチャート。
【図１０】変形例における操作遷移画面を説明するための説明図。
【図１１】第３の実施の形態に採用される動作フローを示すフローチャート。
【図１２】第３の実施の形態における操作遷移画面を説明するための説明図。
【図１３】第４の実施の形態に採用される動作フローを示すフローチャート。
【図１４】手技に応じた周辺機器の使用順の一例を示す図表。
【図１５】第４の実施の形態における操作遷移画面を説明するための説明図。
【図１６】変形例において採用されるフローチャート。
【図１７】手技に応じた周辺機器の使用順及び使用頻度の情報の一例を示す説明図。
【図１８】本変形例における操作遷移画面を説明するための説明図。
【発明を実施するための形態】
【００１２】
以下、図面を参照して本発明の実施の形態について詳細に説明する。
【００１３】
（第１の実施の形態）
図１は本発明の第１の実施の形態に係る医療システムを示すブロック図である。
【００１４】
本実施の形態に係る医療システムは、医療機器を制御するための医療機器コントローラ（ＭＣ）１０と、非医療機器を制御するための非医療機器コントローラ（ＮＭＣ）２０とを有している。
【００１５】
医療機器コントローラ１０には、医療機器コントローラ１０の制御対象である各種周辺機器が有線又は無線によって接続される。医療システムを内視鏡手術システムに利用した場合には、周辺機器３１−１，３１−２，３１−３，…としては、例えば、無影灯、気腹器、ビデオプロセッサ、内視鏡光源装置、電気メス装置等の種々の装置が考えられる。
【００１６】
一方、非医療機器コントローラ２０には、非医療機器コントローラ２０の制御対象である各種周辺機器が有線又は無線によって接続される。周辺機器４１−１，４１−２，４１−３，…としては、例えば、室内灯、ルームカメラ、シーリングカメラ、エアコン、電話システム、遠隔にいる者と会議をするための会議システム等の種々の装置が考えられる。
【００１７】
医療機器コントローラ１０の通信部１１は、接続された各周辺機器３１−１，３１−２，…との間でそれぞれ通信を行って、各周辺機器３１−１，３１−２，…からの情報を制御部１２に与えると共に、制御部１２からの情報を各周辺機器３１−１，３１−２，…に与えるようになっている。
【００１８】
周辺機器３１−１，３１−２，…は、それぞれ自機を特定するためのＩＤ情報を記憶しており、通信部１１は、このＩＤ情報を各周辺機器３１−１，３１−２，…から取得して、制御部１２に供給するようになっている。また、制御部１２は、各周辺機器３１−１，３１−２，…を制御するためのコマンドを発生して、通信部１１を介して各周辺機器３１−１，３１−２，…に供給することもできる。また、各周辺機器３１−１，３１−２，…は、自機をＧＵＩ操作するための操作画面の情報を通信部１１を介して制御部１２に出力することもできるようになっている。
【００１９】
非医療機器コントローラ２０の通信部２１は、接続された各周辺機器４１−１，４１−２，…との間でそれぞれ通信を行って、各周辺機器４１−１，４１−２，…からの情報を制御部２２に与えると共に、制御部２２からの情報を各周辺機器４１−１，４１−２，…に与えるようになっている。
【００２０】
周辺機器４１−１，４１−２，…は、それぞれ自機を特定するためのＩＤ情報を記憶しており、通信部２１は、このＩＤ情報を各周辺機器４１−１，４１−２，…から取得して、制御部２２に供給するようになっている。また、制御部２２は、各周辺機器４１−１，４１−２，…を制御するためのコマンドを発生して、通信部２１を介して各周辺機器４１−１，４１−２，…に供給することもできる。また、各周辺機器４１−１，４１−２，…は、自機をＧＵＩ操作するための操作画面の情報を通信部２１を介して制御部２２に出力することもできるようになっている。
【００２１】
また、通信部１１，２１は、相互に通信が可能であり、それぞれ制御部１２，２２に制御されて、各種情報を送受することができるようになっている。例えば、コントローラ１０，２０相互間で、ＩＤ情報や操作画面等の表示データの転送が可能である。制御部１２，２２は、ＣＰＵ等のプロセッサによって構成されており、図示しないメモリから読み込んだプログラムに基づいて所定の処理を実現することができるようになっている。
【００２２】
本実施の形態においては、医療機器コントローラ１０の制御部１２は、医療機器コントローラ１０の制御対象である周辺機器３１−１，３１−２，…だけでなく、非医療機器コントローラ２０の制御対象である周辺機器４１−１，４１−２，…に対する操作のための表示制御を行う。制御部１２は、ユーザが操作対象の周辺機器がいずれのコントローラに接続されているかを意識することなく各周辺機器を操作可能とするための操作遷移画面を表示操作用画像生成部１４に生成させるようになっている。
【００２３】
後述するように、操作遷移画面は、各周辺機器３１−１，３１−２，…４１−１，４１−２，…を選択的に操作するために、各周辺機器のうち操作対象の周辺機器を選択して当該機器の操作画面に移行するための表示、例えば操作遷移アイコンの表示を含む。ユーザが各周辺機器にそれぞれ対応した複数の操作遷移アイコンから１つを選択することで、該当する周辺機器の操作を実現するための操作画面の表示指示が、制御部１２，２２に通知されるようになっている。
【００２４】
このような操作遷移画面を表示させるために、医療機器コントローラ１０の記憶部１３には、各周辺機器３１−１，３１−２，…にそれぞれ対応した表示、例えば操作遷移アイコンの表示データが格納されている。また、非医療機器コントローラ２０の記憶部２３には、各周辺機器４１−１，４１−２，…にそれぞれ対応した表示、例えば操作遷移アイコンの表示データが格納されている。通信部１１，２１は、相互に通信可能であり、制御部１２は、通信部１１，２１を介して制御部２２との間で通信を行って、記憶部２３に格納された操作遷移アイコンの表示データの送信を要求し、この要求に伴って送信された操作遷移アイコンの表示データを記憶部１３に格納することもできるようになっている。なお、操作遷移アイコンは、各周辺機器３１−１，３１−２，…４１−１，４１−２，…のＩＤ情報に対応して記憶されている。
【００２５】
制御部２２は、通信部２１，１１を介して、接続された各周辺機器４１−１，４１−２，…のＩＤ情報を制御部２１に転送することができるようになっている。これにより、制御部２１は、接続された周辺機器３１−１，３１−２，…，４１−１，４１−２，…に対応する操作遷移アイコンを記憶部１３から読出して表示操作用画像生成部１４に出力することができるようになっている。
【００２６】
なお、記憶部１３，２３に格納されている操作遷移アイコンの表示データは、ＵＳＢメモリ等の図示しない外部メディアから取り込まれたものであってもよく、各周辺機器の図示しないメモリから通信部１１，２１を介して取り込まれたものであってもよい。
【００２７】
表示操作用画像生成部１４は、制御部１２に制御されて、操作遷移画面の表示データを生成する。この表示データは切換器５１の画像伝送端子ａ１に供給される。また、表示操作用画像生成部１４は、制御部１２に制御されて、周辺機器３１−１，３１−２，…を操作するための操作画面の表示データを生成して、切換器５１の画像伝送端子ａ１に供給することもできるようになっている。
【００２８】
また、非医療機器コントローラ２０の表示操作用画像生成部２４は、制御部２２に制御されて、周辺機器４１−１，４１−２，…を操作するための操作画面の表示データを生成して、切換器５１の画像伝送端子ｂ１に供給することができるようになっている。
【００２９】
切換部５１は、医療機器コントローラ１０からの画像を表示操作部６１に伝送するための画像伝送端子ａ１と非医療機器コントローラ２０からの画像を表示操作部６１に伝送するための画像伝送端子ｂ１とを有しており、制御部１２に制御されて、画像伝送端子ａ１又はｂ１のいずれか一方に入力された画像を表示操作部６１に与えるようになっている。
【００３０】
また、切換部５１は、表示操作部６１に対する操作に基づく操作信号を伝送するための操作信号伝送端子ａ２，ｂ２を有している。制御部１２は、操作信号伝送端子ａ２又はｂ２のいずれか一方を選択して、表示操作部６１からの操作信号を制御部１２又は制御部２２に入力させるようになっている。なお、制御部１２は、切換部５１の端子ａ１，ａ２を同時に選択するか又は、端子ｂ１，ｂ２を同時に選択するようになっている。
【００３１】
表示操作部６１は、例えばＬＣＤによって構成された図示しない表示画面と、例えば表示画面上に設けられた図示しないタッチパネル等によって構成されており、切換部５１の端子ａ１，ｂ１から供給された画像を表示画面上に表示すると共に、表示された画像中の操作アイコン等の位置をタッチするタッチ操作に応じた操作信号を切換部５１の端子ａ２，ｂ２に出力するようになっている。
【００３２】
なお、表示操作部６１は、表示部と操作部とが分離された構成であってもよく、例えば、操作部がキーボード等によって構成されていてもよい。
【００３３】
（操作遷移画面の作成）
図２はＩＤ情報の一例を説明するための図表である。本実施の形態においては、各周辺機器３１−１，３１−２，…４１−１，４１−２，…は複数のグループに分けられ、各周辺機器がいずれのグループに属するかがＩＤ情報によって識別可能となるようにＩＤ情報が設定されている。
【００３４】
図２の例では、各周辺機器は、照明グループ、映像グループ、治療１グループ、治療２グループ及び再生機グループに分類された例を示している。各グループは、医療機器であるか非医療機器であるかに拘わらず、所定の分類方法、例えば実現する機能毎に分類されている。図２は同様の機能を有する周辺機器が同一のグループに分類（グループ化）された例を示している。
【００３５】
各周辺機器のＩＤ情報は、属するグループを示す数字とグループ内での識別のための数字とをハイフンでつないだものである。例えば、医療機器である無影灯は、照明グループであることを示す“１”とグループ内の１番目の機器であることを示す“１”とを用いて、ＩＤ情報が１−１に設定されている。同様に、非医療機器である室内灯は、照明グループであることを示す“１”とグループ内の２番目の機器であることを示す“２”とを用いて、ＩＤ情報が１−２に設定されている。
【００３６】
表示操作用画像生成部１４は、通信部１１，２１に接続された周辺機器のＩＤ情報に応じた操作遷移アイコンの表示データが制御部１２から与えられ、各周辺機器に対応する複数の操作遷移アイコンを配置した操作遷移画面を生成する。本実施の形態においては、表示操作用画像生成部１４は、同一グループに属する各周辺機器に対応する操作遷移アイコン同士については、操作遷移画面上の相互に関連した位置、例えば、近接した位置に配置するようになっている。例えば、表示操作用画像生成部１４は、同一グループに属する各周辺機器に対応する各操作遷移アイコンを同一行又は同一列に配置し、異なるグループに属する各周辺機器に対応する各操作遷移アイコン同士は、相互に異なる行又は異なる列に配置するようになっている。また、例えば、表示操作用画像生成部１４は、同一グループに属する各周辺機器に対応する各操作遷移アイコン同士を、所定の距離以内に近接配置し、異なるグループに属する各周辺機器に対応する各操作遷移アイコン同士は、相互に所定の距離以上離間するように配置してもよい。また、例えば、同一グループに属する各周辺機器に対応する各操作遷移アイコンを単純に左右に連続して配置してもよい。
【００３７】
従って、例えば同一機能を実現する周辺機器を選択するための操作遷移アイコン同士は、医療機器、非医療機器の区別に拘わらず、例えば近接配置されたり、１行に配置されたりする。これにより、操作者にとって、関連する機能を実現する周辺機器の選択が比較的容易になるものと考えられる。
【００３８】
なお、同一グループに属する各周辺機器に対応する操作遷移アイコンを、１行又は１列に配置するだけでなく、２行以上又は２列以上に配置するようにしてもよい。
【００３９】
また、操作遷移アイコンを、ＩＤ情報から得られる文字による画像及び規定の枠等による画像のみによって作成する場合には、表示操作用画像生成部１４は、制御部１２からのＩＤ情報のみによって各周辺機器に対応した操作遷移アイコンを含む操作遷移画面を作成することができる。従って、この場合には、記憶部１３は各周辺機器に対応した操作遷移アイコンの表示データを記憶しておく必要はない。
【００４０】
次に、このように構成された実施の形態の動作について図３乃至図５を参照して説明する。図３は第１の実施の形態の動作を説明するためのフローチャートであり、図４は第１の実施の形態による操作遷移画面の一例を示す説明図であり、図５は第１の実施の形態の動作を説明するための説明図である。なお、図３はコントローラ１０，２０の処理を示しており、コントローラ１０の処理ステップとコントローラ２０の処理ステップとを結ぶ矢印はコントローラ１０，２０相互間で通信が行われることを示している。
【００４１】
医療機器コントローラ１０は、ステップＳ１１において起動した後、非医療機器コントローラ２０との接続の確認を行う（ステップＳ１２）。同様に、非医療機器コントローラ２０は、ステップＳ２１において起動した後、医療機器コントローラ１０との接続の確認を行う（ステップＳ２２）。次に、医療機器コントローラ１０はステップＳ１３において、通信部１１に有線又は無線によって接続されている周辺機器を検索する。また、非医療機器コントローラ２０はステップＳ２３において、通信部２１に有線又は無線によって接続されている周辺機器を検索する。
【００４２】
医療機器コントローラ１０は、ステップＳ１４において通信部１１に接続されている周辺機器のＩＤ情報を取得する。また、非医療機器コントローラ２０は、ステップＳ２４において通信部２１に接続されている周辺機器のＩＤ情報を取得する。非医療機器コントローラ２０の制御部２２は取得したＩＤ情報を通信部２１，１１を介して制御部１２に送信する（ステップＳ２５）。制御部１２は、ステップＳ１５においてＩＤ情報を受信すると、次のステップＳ１６において、取得したＩＤ情報に基づいて通信部１１，２１に接続されている各周辺機器に対応する操作遷移アイコンを読出し、グループ毎に分類して（ステップＳ１７）、表示操作用画像生成部１４に与える。なお、ＩＤ情報に対応する操作遷移アイコンが記憶部１３に記憶されていない場合には、制御部２２は制御部１２の要求に従って、ステップＳ２５において、ＩＤ情報だけでなく対応する操作遷移アイコンも送信する。
【００４３】
表示操作用画像生成部１４は、ステップＳ１８において、グループ毎に分類された操作遷移アイコンの操作遷移画面中の配置位置として、グループ毎に相互に関連する位置、例えば、近接位置となるように、各操作遷移アイコンの配置位置を決定する。表示操作用画像生成部１４は、ステップＳ１８において決定した位置に操作遷移アイコンを配置した操作遷移画面の表示データを生成する（ステップＳ１９）。
【００４４】
表示操作用画像生成部１４からの表示データは、切換部５１の端子ａ１を介して表示操作部６１に供給される。こうして、表示操作部６１の表示画面上に、コントローラ１０，２０によって管理制御される各周辺機器３１−１，３１−２，…，４１−１，４１−２，…を選択するための操作遷移アイコンが配置された操作遷移画面が表示される。この操作遷移画面は、各操作遷移アイコンがグループ毎に分類して配置されているので、例えば同一機能を達成する周辺機器の選択が容易となる。
【００４５】
図４は表示操作部６１の表示画面に表示される操作遷移画面の一例を示している。図４の例では、表示操作部６１の表示画面６１ａ上に複数の操作遷移アイコン６２が表示されていることを示している。図４では、操作遷移アイコン６２は四角形状で、各機器のＩＤ情報（図２参照）を示す表示を有する例を示しているが、形状や模様、色等は適宜設定可能であり、例えば機器の形状や機能を表す表示や、機器名や医療機器、非医療機器の区別等の各種情報表示を含むものであってもよい。
【００４６】
図４の例では、照明グループに属する周辺機器に対応する操作遷移アイコンのグループＧ１、映像グループに属する周辺機器に対応する操作遷移アイコンのグループＧ２、治療２グループに属する周辺機器に対応する操作遷移アイコンのグループＧ４及び再生機グループに属する周辺機器に対応する操作遷移アイコンのグループＧ５は、各アイコンがそれぞれ一行に配置されている。
【００４７】
周辺機器が各機能毎にグループ分けされている場合には、同一機能を達成する周辺機器に対応する操作遷移アイコンは、一行又は隣接する行に配置されることになる。従って、操作者は、ある機能を実現する周辺機器の選択操作に迷うことなく、スムーズな操作が可能となる。
【００４８】
例えば、無影灯と室内灯とは、一方は医療機器であり他方は非医療機器であるが、いずれも照明を行うという機能の点からは同一であり、操作者はこれらの機能を関連付けて操作することが考えられる。この場合において、図４に示す表示が行われていれば、操作者は、横一行に近接して配置された操作遷移アイコンに対して連続的な操作を比較的簡単に行うことができ、操作性に優れている。表示操作部６１としてタッチパネルが採用されている場合には、操作者は、操作遷移アイコンの表示上をタッチ操作することで、簡単に操作対象の機器を選択することが可能である。
【００４９】
図５は操作遷移画面から各周辺機器の操作画面への変化を説明するものである。例えば、医療機器である周辺機器３１−１がＩＤ情報２−１のビデオプロセッサであり、非医療機器である周辺機器４１−３がＩＤ情報２−５のビデオスイッチャーであるものとする。
【００５０】
この場合に、操作者が図５（ａ）に示す操作遷移アイコンＧ２−１上をタッチする操作を行うものとする。この操作に基づく操作信号は、切換部５１の端子ａ２を介して制御部１２に供給される。制御部１２は、表示操作用画像生成部１４に、ＩＤ情報が２−１である周辺機器３１−１を操作するための操作画面の表示データを生成させる。この表示データは切換部５１の端子ａ１を介して表示操作部６１に供給されて、表示画面６１ａ上には図５（ｂ）に示すように周辺機器３１−１を操作するための操作画面（詳細は図示省略）が表示される。
【００５１】
ここで、操作者が図５（ｂ）の「戻る」アイコン６３上をタッチ操作すると、制御部１２はこの操作に基づく操作信号によって、表示操作用画像生成部１４に、操作遷移画面の表示データを生成させる。こうして、表示画面６１ａ上には、図５（ａ）に示す操作遷移画面が再び表示される。
【００５２】
次に、操作者が図５（ａ）に示す操作遷移アイコンＧ２−５上をタッチする操作を行うものとする。この操作に基づく操作信号は、切換部５１の端子ａ２を介して制御部１２に供給される。制御部１２は、操作者によって周辺機器４１−３を操作するための操作画面の表示が要求されているものと判断して、通信部１１，２１を介して制御部２２にこの要求を通知すると共に、切換部５１に端子ｂ１，ｂ２を選択させる。
【００５３】
非医療機器コントローラ２０の制御部２２は、表示操作用画像生成部２４に、ＩＤ情報が２−５である周辺機器４１−３を操作するための操作画面の表示データを生成させる。この表示データは表示操作用画像生成部２４から切換部５１の端子ｂ１を介して表示操作部６１に供給される。こうして、表示画面６１ａ上には図５（ｃ）に示すように周辺機器４１−３を操作するための操作画面（詳細は図示省略）が表示される。
【００５４】
なお、操作者が図５（ｃ）の「戻る」アイコン６３上をタッチ操作すると、制御部２２はこの操作に基づく操作信号によって、操作遷移画面の表示が指示されたことを通信部２１，１１を介して制御部１２に通知する。これにより、制御部１２は、表示操作用画像生成部１４に操作遷移画面の表示データを生成させると共に、切換部５１に端子ａ１，ａ２を選択させ、操作遷移画面を表示操作部６１に与えて、図５（ａ）に示す操作遷移画面を再び表示させる。
【００５５】
このように本実施の形態においては、２つのコントローラによってそれぞれ管理制御される複数の周辺機器を選択するための操作遷移画面を共通の表示操作部の表示画面上に表示させる。この場合において、複数の周辺機器がいずれのコントローラによって管理制御されるか否かに関係なく所定の分類によって各周辺機器をグループ化し、各グループ毎に周辺機器を選択するための表示を関連する位置、例えば近接した位置に配置するように、操作遷移画面を生成する。これにより、操作者は、各グループの周辺機器についての把握が容易であると共に、同一グループの周辺機器については関連した位置に配置された表示を選択する操作で操作画面を表示させることができ、グループ化された機器を連続的に操作する場合等における操作性を向上させることができる。
【００５６】
なお、表示操作部としてはタッチパネルを採用する例を説明したが、図示しない入力装置、例えば、キーボード等のカーソルキーによって、選択操作を行うことも可能である。この場合でも、同一グループに属する操作遷移アイコンが例えば１行に配置されていることにより、関連する機能を実現するための選択操作が比較的容易である。
【００５７】
また、上記実施の形態においては、医療機器コントローラによって、切換部の制御及び操作遷移画面の作成等の処理を行ったが、医療機器コントローラと非医療機器コントローラとは同様の機能を有しており、切換部の制御及び操作遷移画面の作成等の処理を非医療機器コントローラ側で行うようにしてもよいことは明らかである。
【００５８】
（変形例）
図６は変形例を示す説明図である。図６の変形例は、グループ毎の操作遷移アイコンを色分け表示する例を示している。なお、図６では、ハッチングの種類によって色分けされていることを示している。
【００５９】
各グループ毎に色分け表示されているので、操作者が各グループの周辺機器を判別しやすいという利点がある。
【００６０】
（第２の実施の形態）
図７は第２の実施の形態に採用される動作フローを示すフローチャートである。図７において図３と同一の手順には同一符号を付して説明を省略する。また、図８は第２の実施の形態における操作遷移画面を説明するための説明図である。本実施の形態におけるハードウェア構成は第１の実施の形態と同様である。
【００６１】
上述したように、非医療機器コントローラ２０は医療機器コントローラ１０と同様の機能を有しており、非医療機器コントローラ２０は単独で操作遷移画面の表示等が可能である。本実施の形態はこの場合の例を示すものである。なお、本実施の形態における切換部５１は、医療機器コントローラ１０の電源がオンの場合には、制御端に制御部１２からの制御信号が入力されて、制御信号に基づいて端子ａ１，ａ２又は端子ｂ１，ｂ２を選択するように動作する。また、切換部５１は、医療機器コントローラ１０の電源がオフになっている場合には、制御端がプルアップ又はプルダウンされて、端子ｂ１，ｂ２を選択するようになっている。
【００６２】
いま、図３のフローと同様の処理によって、表示操作部６１の表示画面６１ａに、コントローラ１０の表示操作用画像生成部１４からの操作遷移画面が表示されるものとする（ステップＳ３１）。図８（ａ）はこの場合の表示を示している。なお、図８（ａ）は図４と同様の表示を示している。
【００６３】
ここで、医療機器コントローラ１０の電源がオフするものとする（ステップＳ３２）。コントローラ１０，２０は相互に接続の確認のための通信を行っており、非医療機器コントローラ２０は、ステップＳ４１において、コントローラ２０との接続が切断されたことを検出する。非医療機器コントローラ２０の制御部２２は、通信部２１を介して取得したＩＤ情報に基づいて、記憶部２３に記憶されている操作遷移アイコンの表示データを読出す（ステップＳ４２）。制御部２２は読出した操作遷移アイコンの表示データをグループ毎に分類して（ステップＳ４３）、表示操作用画像生成部２４に与える。
【００６４】
表示操作用画像生成部２４は、ステップＳ４４において、グループ毎に分類された操作遷移アイコンを、グループ毎に相互に関連する位置、例えば、近接位置に配置した操作遷移画面の表示データを生成して出力する。医療機器コントローラ１０の電源がオフになったことにより切換部５１は端子ｂ１，ｂ２を選択しており、表示操作用画像生成部２４からの表示データは、切換部５１の端子ｂ１を介して表示操作部６１に供給される。こうして、表示操作部６１の表示画面上に、コントローラ２０によって管理制御されている各周辺機器４１−１，４１−２，…を選択するための操作遷移アイコンが配置された操作遷移画面が表示される。
【００６５】
図８（ｂ）はこの場合に表示される操作遷移画面を示している。図８（ｂ）においても、各操作遷移アイコンは、グループ毎に分類して配置されている。従って、例えば同一機能を達成する周辺機器の選択が容易となる。
【００６６】
このように本実施の形態においては、２つのコントローラの一方の電源がオフになった場合でも、他方のコントローラによって、各周辺機器を選択するための表示がグルーブ毎に分類された操作遷移画面を表示させることができ、周辺機器の選択操作の操作性を向上させることができる。
【００６７】
（変形例）
図９及び図１０は第２の実施の形態の変形例に係り、図９は本変形例において採用されるフローチャートを示し、図１０は本変形例における操作遷移画面を説明するための説明図である。図９において図７と同一の手順には同一符号を付して説明を省略する。
【００６８】
本変形例は一方のコントローラの電源がオフになった場合に、他方のコントローラによって、オフとなったコントローラに管理制御される周辺機器に対応する操作遷移アイコンの表示を網掛け等にするものである。
【００６９】
いま、図３のフローと同様の処理によって、表示操作部６１の表示画面６１ａに、コントローラ１０の表示操作用画像生成部１４からの操作遷移画面が表示されるものとする（ステップＳ３１）。図１０（ａ）はこの場合の表示を示している。なお、図１０（ａ）は図４と同様の表示を示している。
【００７０】
図９のステップＳ５１において、制御部１２は、表示操作用画像生成部１４からの操作遷移画面の表示データを、通信部１１，２１を介して制御部２２に転送する。制御部２２はステップＳ６１において操作遷移画面の表示データを受信し（ステップＳ６１）、記憶部２３に記憶させる（ステップＳ６２）。なお、制御部１２，２２による操作遷移画面の表示データの転送及び記憶は、所定の時間間隔で実施されているものとする。
【００７１】
ここで、医療機器コントローラ１０の電源がオフするものとする（ステップＳ３２）。コントローラ１０，２０は相互に接続の確認のための通信を行っており、非医療機器コントローラ２０は、ステップＳ４１において、コントローラ２０との接続が切断されたことを検出する。非医療機器コントローラ２０の制御部２２は、通信部２１を介して取得したＩＤ情報に基づいて、記憶部２３に記憶されている操作遷移画面中の操作遷移アイコンのうちいずれのアイコンが医療機器コントローラ１０によって管理制御される周辺機器に対応しているかを判定し、判定結果のアイコンを使用不能とするアイコンに決定する（ステップＳ６３）。
【００７２】
制御部２２は、記憶部２３から読出した操作遷移画面の表示データ及び選択不能としたアイコンの情報を表示操作用画像生成部２４に与える。表示操作用画像生成部２４は、操作遷移画面中の操作遷移アイコンのうち、使用不能としたアイコンを使用不能であることを示す表示、例えば網掛け表示に変更した操作遷移画面を作成する（ステップＳ６４）。医療機器コントローラ１０の電源がオフになったことにより切換部５１は端子ｂ１，ｂ２を選択しており、表示操作用画像生成部２４からの表示データは、切換部５１の端子ｂ１を介して表示操作部６１に供給される。こうして、表示操作部６１の表示画面上に、操作遷移画面が表示される（ステップＳ６５）。
【００７３】
図１０（ｂ）はこの場合に表示される操作遷移画面を示している。図１０（ｂ）に示す操作遷移画面は、コントローラ１０によって管理制御される周辺機器を選択するための操作遷移アイコンは、斜線にて示す網掛け表示されており、これらの周辺機器は使用不能であることが分かる。図１０（ｂ）の操作遷移画面では、コントローラ２０によって管理制御されている各周辺機器４１−１，４１−２，…を選択するための操作遷移アイコンのみが有効であり、制御部２２は、有効な操作遷移アイコン上の位置がタッチ操作された場合にのみ、対応する機器の操作画面を表示させる。
【００７４】
なお、図１０（ｂ）においても、各操作遷移アイコンは、グループ毎に分類して配置されている。従って、例えば同一機能を達成する周辺機器の選択が容易となる。
【００７５】
このように本変形例では、各周辺機器のグループ分けを容易に認識することができると共に、コントローラ１０，２０に接続されている周辺機器について現在の使用の可否を容易に判断することができる。
【００７６】
（第３の実施の形態）
図１１は本発明の第３の実施の形態に採用される動作フローを示すフローチャートである。また、図１２は第３の実施の形態における操作遷移画面を説明するための説明図である。図１１において図９と同一の手順には同一符号を付して説明を省略する。本実施の形態におけるハードウェア構成は第１の実施の形態と同様である。
【００７７】
医療機器コントローラ１０は、通信部１１に周辺機器が新たに追加された場合には、追加接続された周辺機器のＩＤ情報を取得し、ＩＤ情報に対応する操作遷移アイコンを読出して、既存の操作遷移アイコンにグループ分けして追加することで、追加接続された機器に対応する操作遷移アイコンを含む操作遷移画面を表示させることが可能である。更に、非医療機器コントローラ２０の通信部２１に新たに周辺機器が追加接続された場合でも、医療機器コントローラ１０は、非医療機器コントローラ２０から新たに追加接続された機器のＩＤ情報及び操作遷移アイコンが転送されることで、新たな周辺機器を含む操作遷移画面を表示させることができる。本実施の形態はこの場合の例を示している。
【００７８】
いま、図１１のステップＳ１９において作成された操作遷移画面が、表示操作部６１の表示画面６１ａ上に表示されているものとする。図１２（ａ）はこの場合の表示を示している。なお、図１２（ａ）は図４と同様の表示を示している。
【００７９】
図１１のステップＳ８１において、非医療機器コントローラ２０の制御部２２は、周辺機器が通信部２１に新たに接続されたか否かを判定する。制御部２２は、非医療機器コントローラ２０の起動直後の最初の周辺機器の検索においては新規接続ありと判定して処理をステップＳ２４に移行する。また、制御部２２は、操作遷移画面表示後において周辺機器が通信部２１に新たに接続された場合にも、処理をステップＳ２４に移行する。こうして、通信部２１に接続された周辺機器の全てについて、ステップＳ２４でＩＤ情報が取得され、ステップＳ２５において取得されたＩＤ情報が医療機器コントローラ１０の制御部１２に転送される。なお、追加接続された機器に対応する操作遷移アイコンが記憶部１３に記憶されていない場合には、ステップＳ２５においてＩＤ情報に対応する操作遷移アイコンの表示データも制御部１２に転送される。
【００８０】
医療機器コントローラ１０の制御部１２は、ステップＳ７１において新規のＩＤ情報を受信したか否かを判定する。制御部１２は、非医療機器コントローラ２０の起動直後の最初のＩＤ情報の受信時には、新規のＩＤ情報の受信であると判定して処理をステップＳ１５に移行する。また、制御部１２は、操作遷移画面表示後において通信部２１に新たに周辺機器が接続されたことによるＩＤ情報の受信時にも、処理をステップＳ１５に移行する。こうして、制御部１２は、通信部１１，２１に接続された周辺機器の全てについてのＩＤ情報をステップＳ１４，Ｓ１５において取得する。制御部１２は、取得されたＩＤ情報に対応する操作遷移アイコンを取得し（ステップＳ１６）、グルーブ毎に再分類して（ステップＳ１７）、表示操作用画像生成部１４に出力する。表示操作用画像生成部１４は、操作遷移アイコンの操作遷移画面上の配置位置を決定し（ステップＳ１８）、操作遷移画面を作成する（ステップＳ１９）。
【００８１】
こうして、非医療機器コントローラ２０の通信部２１に新たに周辺機器が接続された場合でも、この周辺機器に対応する操作遷移アイコンを含む操作遷移画面が新たに作成されて、表示操作部６１に転送される。
【００８２】
図１２（ｂ）はこの場合に表示される操作遷移画面を示している。図１２（ｂ）においては、新たに追加された周辺機器を選択するための操作遷移アイコン６４が新たに追加されている。追加された操作遷移アイコンも、グループ毎に分類されて配置される。
【００８３】
このように本実施の形態においては、第１の実施の形態と同様の効果が得られると共に、操作遷移画面の表示後に新たな周辺機器が接続された場合でも、この新たな周辺機器を選択するための操作遷移アイコンをグループ分けして配置した操作遷移画面を表示することができる。
【００８４】
なお、第３の実施の形態においては、周辺機器が追加接続された場合の例を説明したが、周辺機器の接続が解除された場合にも、グループの再分類（再グループ化）及び操作遷移画面の更新を行うようにすることができることは明らかである。
【００８５】
（第４の実施の形態）
図１３は第４の実施の形態に採用される動作フローを示すフローチャートである。図１３において図３と同一の手順には同一符号を付して説明を省略する。本実施の形態におけるハードウェア構成は第１の実施の形態と同様である。本実施の形態は、操作対象とする周辺機器を選択するための表示、例えば操作遷移アイコンを手技の順に配置した操作遷移画面を表示するものである。
【００８６】
図１４は手技に応じた周辺機器の使用順の一例を示す図表であり、図１４（ａ）は手技１における使用順を示し、図１４（ｂ）は手技２における使用順を示している。図１４の例は図２の周辺機器に対応したものである。手技１では、室内灯、無影灯、モニター、ルームカメラ、ＤＶＤレコーダ及び電気メスの順で、各周辺機器が操作されることを示している。また、手技２では、室内灯、無影灯、モニター、ルームカメラ、気腹器及び炭酸ガス送気装置の順で、各周辺機器が操作されることを示している。これらの手技に応じた周辺機器の使用順の情報は、記憶部１３に記憶されている。
【００８７】
図１３における医療機器コントローラ１０のステップＳ１１〜Ｓ１６の処理及び非医療機器コントローラ２０のステップＳ２１〜Ｓ２５の処理は、図３に示す第１の実施の形態と同様であり、コントローラ１０の制御部１２は、通信部１１，２１に接続された周辺機器に対応する操作遷移アイコンを取得する。
【００８８】
本実施の形態においては、制御部１２は、記憶部１３から手技に応じた周辺機器の使用順の情報を取得する（ステップＳ９１）。制御部１２は、記憶部１３から読出した操作遷移アイコンの表示データ及び使用順の情報を表示操作用画像生成部１４に与える。
【００８９】
表示操作用画像生成部１４は、ステップＳ９２において、各操作遷移アイコンを指定された使用順で配置する位置を決定する。例えば、表示操作用画像生成部１４は、各操作遷移アイコンを使用順に操作遷移画面の最上行の左から右に順次配置すると共に１行の配置位置が全て埋まると、次の行に左から右に向かって順次配置するようにしてもよい。また、表示操作用画像生成部１４は、各操作遷移アイコンを使用順に操作遷移画面の最左列の上から下に順次配置すると共に１列の配置位置が全て埋まると、次の列に上から下に向かって順次配置するようにしてもよい。また、これらの表示順の上下又は左右を逆にしてもよく、表示順に配置位置が決められていれば、配置の方向は特に限定されるものではなく、例えば斜め方向に配置位置が変化するものであってもよい。
【００９０】
なお、表示操作用画像生成部１４は、各操作遷移アイコンを図２のグループ毎に色分け表示するようにしてもよい。
【００９１】
図１５は第４の実施の形態における操作遷移画面を説明するための説明図である。図１５は図６と同様の表示方法で表示した例を示している。即ち、表示操作部６１の表示画面６１ａ上には、四角形状の複数の操作遷移アイコンが表示されており、各操作遷移アイコンには、ＩＤ情報に応じた数字が表示されている。図１５のＩＤ情報は、図２に対応したものであり、表示画面６１ａの左端上端にはＩＤ情報１−２の室内灯を選択するための操作遷移アイコンが配置され、次いで右方向に、ＩＤ情報１−１の無影灯、ＩＤ情報２−３のモニター、ＩＤ情報２−２のルームカメラ、ＩＤ情報５−１のＤＶＤレコーダに対応した操作遷移アイコンが配置され、２行目にＩＤ情報４−１の電気メスに対応した操作遷移アイコンが配置されている。即ち、図１５（ａ）の表示は、図１４（ａ）の手順１に対応した操作遷移アイコンの配置を示している。
【００９２】
従って、操作者は、操作遷移画面上の操作遷移アイコンを上の行から下の行に向かって行毎に左端から右方向に順次タッチ操作することで、手技の順に周辺機器を操作することができる。手技毎に、操作遷移アイコンを探しながらタッチ操作を行う場合と異なり、操作者は配列順にタッチ操作を行えばよいので、操作性が著しく向上すると共に、タッチ操作の間違いを低減することができる。
【００９３】
また、図１５（ａ）の例では、ハッチングの種類によって、各操作遷移アイコンが図２のグループ毎に色分け表示されていることを示している。例えば、上端左端の２つの操作遷移アイコンは、同一のグループ（照明グループ）に属する周辺機器を操作するためのものであることが分かる。この色分け表示によって、周辺機器がいずれのグループであるかを判別しやすいという利点がある。
【００９４】
制御部１２は、表示操作部６１からの操作信号によって、いずれの操作遷移アイコンが選択されたかを認識して、選択された操作遷移アイコンに対応する周辺機器を操作するための操作画面を、表示操作用画像生成部１４に表示させる。また、制御部１２は、操作画面から操作遷移画面への表示の切り換えのための操作が行われたことを示す操作信号が入力されると、表示操作用画像生成部１４に操作遷移画面を表示させる。
【００９５】
この場合には、制御部１２は、既に選択された操作遷移アイコン又は直前に選択された操作遷移アイコンと他の操作遷移アイコンとを区別することができる表示となるように、表示操作用画像生成部１４を制御する。例えば、表示操作用画像生成部１４は、直前に選択操作された操作遷移アイコンに色付けや枠表示等の強調表示を行ってもよい。図１５（ｂ）はこの場合の操作遷移画面を示しており、操作遷移アイコンを囲む枠表示６６によって、直前にＩＤ情報２−２に対応する操作遷移アイコンが選択されて、ルームカメラに対する操作画面が表示されたことを示している。これにより、操作者は、現在どの手順まで行われており、次にどの手順を実行すれば良いかを、簡単に認識することができる。
【００９６】
このように本実施の形態においては、各周辺機器を選択するための操作遷移アイコンを、いずれのコントローラに接続されているかに拘わらず、手技の順に配置して表示しており、操作者はタッチ操作すべき操作遷移アイコンを簡単に探すことができ、操作に迷うことがなく、確実で且つスムーズに操作することができる。
【００９７】
（変形例）
図１６乃至図１８は第４の実施の形態の変形例に係り、図１６は本変形例において採用されるフローチャートであり、図１７は手技に応じた周辺機器の使用順及び使用頻度の情報の一例を示す説明図であり、図１８は本変形例における操作遷移画面を説明するための説明図である。図１６において図１３と同一の手順には同一符号を付して説明を省略する。
【００９８】
本変形例では、記憶部１３には、手技に応じた各周辺機器の使用順の情報だけでなく、当該手技において比較的使用頻度が低い周辺機器に関する情報も記憶されている。図１７は記憶部１３に記憶された情報を示している。図１７に示す手技は、室内灯、無影灯、モニター、電気メス、自動排煙及び画像記録装置の順で、各周辺機器が操作されることを示している。また、図１７の手技では、気腹器、炭酸ガス送気装置及びＤＶＤレコーダが比較的使用頻度が低い機器として登録されていることを示している。
【００９９】
図１６のステップＳ９５において、制御部１２は記憶部１３から図１７に示す使用順及び使用頻度の情報を取得して、これらの情報及びこれらの機器に対応する操作遷移アイコンを表示操作用画像生成部１４に出力する。この場合には、制御部１２は、通信部１１，２１に接続された周辺機器のうち記憶部１３に使用順が登録された機器及び使用頻度の低い機器として登録された機器に対応する操作遷移アイコンを表示操作用画像生成部１４に与える。
【０１００】
なお、記憶部１３に使用する機器の使用順の情報のみが記憶されている場合には、制御部１２は、通信部１１，２１に接続された周辺機器のうち記憶部１３に登録されている機器以外の機器を使用頻度が低い機器として処理してもよい。
【０１０１】
表示操作用画像生成部１４は、ステップＳ９６において、各操作遷移アイコンを指定された使用順で配置する位置を決定すると共に、使用頻度が低い機器に対応する操作遷移アイコンについては、第１の実施の形態と同様のグループ順にして、使用順が最も低い機器用の配置位置、例えば操作遷移画面の下端の位置を配置位置に決定する。更に、表示操作用画像生成部１４は、使用頻度が低い機器に対応する操作遷移アイコンについては、他の操作遷移アイコンのサイズを縮小して小さいサイズに設定する。表示操作用画像生成部１４はステップＳ９６で決定した配置位置及びサイズに従って操作遷移アイコンを配置及び縮小した操作遷移画面を生成する。表示操作用画像生成部１４からの操作遷移画面の表示データは、切換部５１を介して表示操作部６１に供給され、表示画面６１ａ上に操作遷移画面が表示される。
【０１０２】
図１８は本変形例における操作遷移画面を示している。図１８の例では、表示操作部６１の表示画面６１ａには、使用順で操作遷移アイコンを配置した領域を示す枠表示６８と使用頻度が低い機器に対応する操作遷移アイコンを配置した領域を示す枠表示６９とが設けられている。各操作遷移アイコンには図２に対応したＩＤ情報が表示されており、使用順で操作遷移アイコンを配置した枠表示６８内には、ＩＤ情報１−２の室内灯を選択するための操作遷移アイコンが配置され、次いで右方向に、ＩＤ情報１−１の無影灯、ＩＤ情報２−３のモニター、ＩＤ情報４−１の電気メスに対応した操作遷移アイコンが配置され、２行目にＩＤ情報４−４の自動排煙、ＩＤ情報２−４の画像記録装置に対応した操作遷移アイコンが配置されている。
【０１０３】
また、使用頻度が低い機器に対応する操作遷移アイコンを配置した枠表示６９内には、ＩＤ情報３−２の炭酸ガス送気装置、ＩＤ情報３−３の気腹器及びＩＤ情報５−１のＤＶＤレコーダを選択するための操作遷移アイコンが配置される。この操作遷移アイコンは、他のアイコンに比べてサイズが小さいので、直感的に使用頻度が小さい周辺機器に対応するアイコンであることを認識することができ、誤操作を防止することができる。このように、表示画面６１ａには、記憶部１３に記憶された情報に基づいた配置で操作遷移アイコンが配列される。
【０１０４】
従って、本変形例においても、操作者は、配列順にタッチ操作を行えばよいので、操作性が著しく向上すると共に、タッチ操作の間違いを低減することができる。また、枠表示６９内には、使用頻度が比較的低い周辺機器を選択するための操作遷移アイコンが小さいサイズで表示されており、使用順に登録されていない周辺機器の操作が必要な場合でも、操作者は必要な操作遷移アイコンを容易に見つけることができ、これらの周辺機器を確実に操作することができる。
【０１０５】
このように本変形例においては、第４の実施の形態と同様の効果が得られると共に、操作者は操作が必要な周辺機器を確実に操作することが可能であるできる。
【０１０６】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１０７】
１０…医療機器コントローラ、１１，２１…通信部、１２，２２…制御部、１３，２３…記憶部、１４，２４…表示操作用画像生成部、２０…非医療機器コントローラ、３１-１，３１-２，…，４１−１，４１−２，……周辺機器、５１…切換部、６１…表示操作部
【図１】
2016036502.tif 000003
【図２】
2016036502.tif 000004
【図３】
2016036502.tif 000005
【図４】
2016036502.tif 000006
【図５】
2016036502.tif 000007
【図６】
2016036502.tif 000008
【図７】
2016036502.tif 000009
【図８】
2016036502.tif 000010
【図９】
2016036502.tif 000011
【図１０】
2016036502.tif 000012
【図１１】
2016036502.tif 000013
【図１２】
2016036502.tif 000014
【図１３】
2016036502.tif 000015
【図１４】
2016036502.tif 000016
【図１５】
2016036502.tif 000017
【図１６】
2016036502.tif 000018
【図１７】
2016036502.tif 000019
【図１８】
2016036502.tif 000020